(57)【要約】【課題】  工業用塗装ラインにおける塗装において、被塗物表面温度、塗装雰囲気条件の管理幅が広い状態でも安定した塗装仕上りが得られる塗料供給方法及び装置を提供する。【解決手段】  低粘度塗料と高粘度塗料を、被塗物表面温度に対応して塗装に適した配合比率となるように混合しながら連続的に供給することを特徴とする塗料供給方法。該塗料供給装置は、低粘度塗料及び高粘度塗料を混合するラインミキサーと、被塗物表面温度、塗装雰囲気温度、塗装雰囲気湿度及び塗装雰囲気風速の変化に応じて、低粘度塗料と高粘度塗料の適性配合比率を、該被塗物表面温度、塗装雰囲気温度、塗装雰囲気湿度及び塗装雰囲気風速から計算する演算装置と、該演算結果により各塗料の定量供給ポンプの吐出量及び吐出時間を制御するコントローラーとを具備している。【選択図】  なし。【特許請求の範囲】
【請求項１】
２０℃における粘度が５ｍＰａ・ｓ以上である低粘度塗料と該低粘度塗料に対して１０ｍＰａ・ｓ以上高い粘度である高粘度塗料を、被塗物表面温度に対応して塗装に適した配合比率で混合しながら連続的に供給することを特徴とする塗料供給方法。
【請求項２】
被塗物表面温度の変化に応じて、低粘度塗料及び高粘度塗料の適性配合比率及びこれら塗料の混合塗料に対する追加量が、該被塗物表面温度及び混合塗料の残量から決められる請求項１記載の塗料供給方法。
【請求項３】
低粘度塗料及び高粘度塗料が、コンテナもしくはドラムで搬入される請求項１または２に記載の塗料供給方法。
【請求項４】
低粘度塗料と高粘度塗料の配合比率が、塗装雰囲気条件の変化によりさらに制御される請求項１ないし３のいずれか１項に記載の塗料供給方法。
【請求項５】
塗装雰囲気条件が、塗装雰囲気温度、塗装雰囲気湿度及び塗装雰囲気風速のいずれか１種以上の条件である請求項４に記載の塗料供給方法。
【請求項６】
低粘度塗料と高粘度塗料を混合するラインミキサーと、被塗物表面温度、塗装雰囲気温度、塗装雰囲気湿度及び塗装雰囲気風速の変化に応じて、低粘度塗料と高粘度塗料の適性配合比率を、該被塗物表面温度、塗装雰囲気温度、塗装雰囲気湿度及び塗装雰囲気風速から計算する演算装置と、該演算結果によりこれら塗料の定量供給ポンプの吐出量及び吐出時間を制御するコントローラーとを具備することを特徴とする塗料供給装置。
【請求項７】
低粘度塗料と高粘度塗料を混合するラインミキサーと、被塗物表面温度、塗装雰囲気温度、塗装雰囲気湿度及び塗装雰囲気風速の変化に応じて、低粘度塗料と高粘度塗料の適性配合比率を、該被塗物表面温度、塗装雰囲気温度、塗装雰囲気湿度及び塗装雰囲気風速から計算する演算装置と、該演算結果によりこれら塗料の定量供給ポンプの吐出量及び吐出時間を制御するコントローラーとを具備し、該適性配合比率を演算するための入力信号が、被塗物表面温度を検出するセンサーからの電気信号と、塗装雰囲気温度及び塗装雰囲気湿度を検出する温湿度センサーからの電気信号と、塗装雰囲気風速を検出する風速計からの電気信号であることを特徴とする塗料供給装置。
【請求項８】
複数の塗装ブース内の各被塗物に塗料をそれぞれ供給する方法に用いられる装置であって、低粘度塗料と高粘度塗料を混合する各塗装ブースに適する複数の混合塗料を作成するための複数のラインミキサーと、該各塗装ブースの被塗物表面温度、塗装雰囲気温度、塗装雰囲気湿度及び塗装雰囲気風速の変化に応じて、低粘度塗料及び高粘度塗料の適性配合比率を、該各塗装ブースの被塗物表面温度、塗装雰囲気温度、塗装雰囲気湿度及び塗装雰囲気風速から計算する演算装置と、該演算結果によりこれら塗料を夫々供給するための複数の定量供給ポンプの吐出量及び吐出時間を制御するコントローラーとを具備し、該適性配合比率を演算するための入力信号が、該各塗装ブース内の被塗物表面温度を検出する各センサーからの電気信号、塗装雰囲気温度及び塗装雰囲気湿度を検出する各温湿度センサーからの電気信号、及び塗装雰囲気風速を検出する各風速計からの電気信号であることを特徴とする塗料供給装置。
【請求項９】
低粘度塗料と高粘度塗料を混合するラインミキサーと、該混合塗料の残量が計量できる中継タンクと、被塗物表面温度、塗装雰囲気温度、塗装雰囲気湿度及び塗装雰囲気風速の変化に応じて、低粘度塗料と高粘度塗料の適性配合比率及びこれら塗料の混合塗料に対する追加量を、該被塗物表面温度、塗装雰囲気温度、塗装雰囲気湿度、塗装雰囲気風速及び混合塗料の残量から計算する演算装置と、該演算結果によりこれら塗料の定量供給ポンプの吐出量及び吐出時間を制御するコントローラーとを具備することを特徴とする塗料供給装置。
【請求項１０】
低粘度塗料と高粘度塗料を混合するラインミキサーと、該混合塗料の残量が計量できる中継タンクと、被塗物表面温度、塗装雰囲気温度、塗装雰囲気湿度、塗装雰囲気風速の変化に応じて、低粘度塗料と高粘度塗料の適性配合比率及びこれら塗料の該混合塗料に対する追加量を、該被塗物表面温度、塗装雰囲気温度、塗装雰囲気湿度、塗装雰囲気風速及び該混合塗料の残量から計算する演算装置と、該演算結果によりこれら塗料の定量供給ポンプの吐出量及び吐出時間を制御するコントローラーとを具備し、該適性配合比率、さらには該混合塗料に対する追加量を演算するための入力信号が、被塗物表面温度を検出するセンサーからの電気信号と、塗装雰囲気温度及び塗装雰囲気湿度を検出する温湿度センサーからの電気信号と、塗装雰囲気風速を検出する風速計からの電気信号と、さらには中継タンクに内蔵されたレベルセンサーからの電気信号であることを特徴とする塗料供給装置。
【請求項１１】
複数の塗装ブース内の各被塗物に塗料をそれぞれ供給する方法に用いられる装置であって、低粘度塗料と高粘度塗料を混合する各塗装ブースに適する複数の混合塗料を作成するための複数のラインミキサーと、該各混合塗料の残量が計量できる複数の中継タンクと、該各塗装ブースの被塗物表面温度、塗装雰囲気温度、塗装雰囲気湿度及び塗装雰囲気風速の変化に応じて、低粘度塗料及び高粘度塗料の適性配合比率及びこれら塗料の該各混合塗料に対する追加量を、該各塗装ブースの被塗物表面温度、塗装雰囲気温度、塗装雰囲気湿度、塗装雰囲気風速及び該各混合塗料の残量から計算する演算装置と、該演算結果によりこれら塗料を夫々供給するための複数の定量供給ポンプの吐出量及び吐出時間を制御するコントローラーとを具備し、該適性配合比率、さらにはこれら塗料の該各混合塗料に対する追加量を演算するための入力信号が、該各塗装ブースの被塗物表面温度を検出する各センサーからの電気信号と、塗装雰囲気温度及び塗装雰囲気湿度を検出する各温湿度センサーからの電気信号と、及び塗装雰囲気風速を検出する各風速計からの電気信号と、さらには該各中継タンクに内蔵された各レベルセンサーからの電気信号であることを特徴とする塗料供給装置。
【発明の詳細な説明】
【技術分野】
【０００１】
本発明は、工業用塗装ラインにおいて塗装に供される塗料を、被塗物表面温度、さらには温度、湿度、風速などの塗装雰囲気条件の変化に対応して最適塗料粘度となるよう調整し、必要量だけを塗装機に供給することにより、該被塗物表面温度、さらには塗装雰囲気条件の変動幅が大きい場合でも常に安定した塗装仕上りが得られる塗料供給方法及び装置に関する。
【背景技術】
【０００２】
一般的に工業用塗装ラインでは塗装ブースの雰囲気温度は一年を通じてある程度一定になるように温調設備を導入しているが、年間を通じて３０℃以上の差がある外気温に対し制御幅は通常約１０℃程度であり、又、被塗物表面温度は塗装雰囲気温度に対して＋０〜３０℃程度を有することが多い。
【０００３】
安定な塗装仕上りを維持するためには、塗装雰囲気温度、塗装雰囲気湿度の制御幅は通常それぞれ約５℃以内、１０％以内にする必要があるが、塗装ブースの温調精度や湿度調整精度を上げて温度や湿度の制御幅を小さくすると空調設備に対する電力負荷が大幅に増大し、その結果ランニングコストの増加を招くことになる。電力負荷の増大は地球温暖化の主原因となる二酸化炭素の発生にもつながるため、省エネルギーを追及している塗装ラインでは空調精度を上げることは困難であった。
【０００４】
さらに寒暖の差が激しい季節や地域では年間の温度差や湿度差もさることながら、日内変動や日間変動でも１０℃以上の温度差あるいは１５％以上の湿度差が生じることがあり、安定な塗装仕上りを確保・維持することは困難であった。
【０００５】
こうした問題点に対し、本出願人は特許文献１において塗装雰囲気温度に応じた溶剤系塗料の塗装仕上り性を確保する方策を提案したが、近年の塗料の水系化に伴い溶剤系塗料はもとより水系塗料にも適用できる塗装雰囲気に応じた塗装仕上がり性を安定に確保する方法が望まれている。
【０００６】
一般に水系塗料においては、塗装雰囲気条件によって塗装仕上り性が非常に左右されやすいことから、塗装直前に希釈剤やレオロジーコントロール剤等により水系塗料の粘度調整を行い、塗装雰囲気条件に適した塗料を調整し、これを塗装する方法が一般に用いられている。しかしながら該方法によれば、希釈剤やレオロジーコントロール剤のほんの少量の添加により塗料粘度が大幅に変化することが頻繁にあり、工業用塗装ラインで粘度調整作業を試行錯誤しながら何度も行わなければならないという問題がある。
【０００７】
また、塗装工業ラインにおいて被塗物の表面温度は、塗装雰囲気温度に加えて、被塗物に対する前処理の有無やその程度、前処理後の経過時間等によって大きく変動するので、塗装雰囲気温度が調整されたラインにおいても安定した塗装仕上がり性を得ることが困難な場合があった。
【０００８】
【特許文献１】特開２００２−４５７７４号公報
【発明の開示】
【発明が解決しようとする課題】
【０００９】
本発明は、被塗物表面温度幅や温度、湿度、風速などの塗装雰囲気条件の変動幅が大きい場合でも、安定した塗装仕上りが得られる方法を提供することを目的とするものである。
【課題を解決するための手段】
【００１０】
本発明者らは、上記した課題に対し、特定の低粘度塗料と高粘度塗料を被塗物表面温度に応じた配合比率で混合しながら供給する方法及び装置により、安定した塗装仕上がりが得られることを見出し、本発明に到達した。即ち本発明は、
１．２０℃における粘度が５ｍＰａ・ｓ以上である低粘度塗料と該低粘度塗料に対して１０ｍＰａ・ｓ以上高い粘度である高粘度塗料を、被塗物表面温度に対応して塗装に適した配合比率で混合しながら連続的に供給することを特徴とする塗料供給方法、
２．被塗物表面温度の変化に応じて、低粘度塗料及び高粘度塗料の適性配合比率及びこれら塗料の混合塗料に対する追加量が、該被塗物表面温度及び混合塗料の残量から決められる１項記載の塗料供給方法、
３．低粘度塗料及び高粘度塗料が、コンテナもしくはドラムで搬入される１項または２項に記載の塗料供給方法、
４．低粘度塗料と高粘度塗料の配合比率が、塗装雰囲気条件の変化によりさらに制御される１項ないし３項のいずれか１項に記載の塗料供給方法、
５．塗装雰囲気条件が、塗装雰囲気温度、塗装雰囲気湿度及び塗装雰囲気風速のいずれか１種以上の条件である４項に記載の塗料供給方法、
６．低粘度塗料と高粘度塗料を混合するラインミキサーと、被塗物表面温度、塗装雰囲気温度、塗装雰囲気湿度及び塗装雰囲気風速の変化に応じて、低粘度塗料と高粘度塗料の適性配合比率を、該被塗物表面温度、塗装雰囲気温度、塗装雰囲気湿度及び塗装雰囲気風速から計算する演算装置と、該演算結果によりこれら塗料の定量供給ポンプの吐出量及び吐出時間を制御するコントローラーとを具備することを特徴とする塗料供給装置、
７．低粘度塗料と高粘度塗料を混合するラインミキサーと、被塗物表面温度、塗装雰囲気温度、塗装雰囲気湿度及び塗装雰囲気風速の変化に応じて、低粘度塗料と高粘度塗料の適性配合比率を、該被塗物表面温度、塗装雰囲気温度、塗装雰囲気湿度及び塗装雰囲気風速から計算する演算装置と、該演算結果によりこれら塗料の定量供給ポンプの吐出量及び吐出時間を制御するコントローラーとを具備し、該適性配合比率を演算するための入力信号が、被塗物表面温度を検出するセンサーからの電気信号と、塗装雰囲気温度及び塗装雰囲気湿度を検出する温湿度センサーからの電気信号と、塗装雰囲気風速を検出する風速計からの電気信号であることを特徴とする塗料供給装置、
８．複数の塗装ブース内の各被塗物に塗料をそれぞれ供給する方法に用いられる装置であって、低粘度塗料と高粘度塗料を混合する各塗装ブースに適する複数の混合塗料を作成するための複数のラインミキサーと、該各塗装ブースの被塗物表面温度、塗装雰囲気温度、塗装雰囲気湿度及び塗装雰囲気風速の変化に応じて、低粘度塗料及び高粘度塗料の適性配合比率を、該各塗装ブースの被塗物表面温度、塗装雰囲気温度、塗装雰囲気湿度及び塗装雰囲気風速から計算する演算装置と、該演算結果によりこれら塗料を夫々供給するための複数の定量供給ポンプの吐出量及び吐出時間を制御するコントローラーとを具備し、該適性配合比率を演算するための入力信号が、該各塗装ブース内の被塗物表面温度を検出する各センサーからの電気信号、塗装雰囲気温度及び塗装雰囲気湿度を検出する各温湿度センサーからの電気信号、及び塗装雰囲気風速を検出する各風速計からの電気信号であることを特徴とする塗料供給装置、
９．低粘度塗料と高粘度塗料を混合するラインミキサーと、該混合塗料の残量が計量できる中継タンクと、被塗物表面温度、塗装雰囲気温度、塗装雰囲気湿度及び塗装雰囲気風速の変化に応じて、低粘度塗料と高粘度塗料の適性配合比率及びこれら塗料の混合塗料に対する追加量を、該被塗物表面温度、塗装雰囲気温度、塗装雰囲気湿度、塗装雰囲気風速及び混合塗料の残量から計算する演算装置と、該演算結果によりこれら塗料の定量供給ポンプの吐出量及び吐出時間を制御するコントローラーとを具備することを特徴とする塗料供給装置、
１０．低粘度塗料と高粘度塗料を混合するラインミキサーと、該混合塗料の残量が計量できる中継タンクと、被塗物表面温度、塗装雰囲気温度、塗装雰囲気湿度、塗装雰囲気風速の変化に応じて、低粘度塗料と高粘度塗料の適性配合比率及びこれら塗料の該混合塗料に対する追加量を、該被塗物表面温度、塗装雰囲気温度、塗装雰囲気湿度、塗装雰囲気風速及び該混合塗料の残量から計算する演算装置と、該演算結果によりこれら塗料の定量供給ポンプの吐出量及び吐出時間を制御するコントローラーとを具備し、該適性配合比率、さらには該混合塗料に対する追加量を演算するための入力信号が、被塗物表面温度を検出するセンサーからの電気信号と、塗装雰囲気温度及び塗装雰囲気湿度を検出する温湿度センサーからの電気信号と、塗装雰囲気風速を検出する風速計からの電気信号と、さらには中継タンクに内蔵されたレベルセンサーからの電気信号であることを特徴とする塗料供給装置、
１１．複数の塗装ブース内の各被塗物に塗料をそれぞれ供給する方法に用いられる装置であって、低粘度塗料と高粘度塗料を混合する各塗装ブースに適する複数の混合塗料を作成するための複数のラインミキサーと、該各混合塗料の残量が計量できる複数の中継タンクと、該各塗装ブースの被塗物表面温度、塗装雰囲気温度、塗装雰囲気湿度及び塗装雰囲気風速の変化に応じて、低粘度塗料及び高粘度塗料の適性配合比率及びこれら塗料の該各混合塗料に対する追加量を、該各塗装ブースの被塗物表面温度、塗装雰囲気温度、塗装雰囲気湿度、塗装雰囲気風速及び該各混合塗料の残量から計算する演算装置と、該演算結果によりこれら塗料を夫々供給するための複数の定量供給ポンプの吐出量及び吐出時間を制御するコントローラーとを具備し、該適性配合比率、さらにはこれら塗料の該各混合塗料に対する追加量を演算するための入力信号が、該各塗装ブースの被塗物表面温度を検出する各センサーからの電気信号と、塗装雰囲気温度及び塗装雰囲気湿度を検出する各温湿度センサーからの電気信号と、及び塗装雰囲気風速を検出する各風速計からの電気信号と、さらには該各中継タンクに内蔵された各レベルセンサーからの電気信号であることを特徴とする塗料供給装置、
に関する。
【発明の効果】
【００１１】
本発明方法によれば、特定の低粘度塗料と高粘度塗料を混合することにより、水系塗料の系でも被塗物表面温度に対応して塗装に適する塗料を試行錯誤することなく簡便に調製でき、該調整された塗料を供給することにより安定した仕上り性を得ることができる。さらに混合塗料の作成条件に塗装雰囲気条件を加味することにより、より安定した仕上がりを得ることができる。また、本方法によれば、塗装環境の異なる複数の塗装ブースに塗料を供給することもでき、各塗装ブースに適した塗料を効率よく供給し、短時間で多くの塗装を行うことが可能である。
【発明を実施するための最良の形態】
【００１２】
本発明方法で使用される粘度が異なる２種以上の塗料としては、２０℃における粘度が５ｍＰａ・ｓ以上、好ましくは２０ｍＰａ・ｓ以上である塗料（以下、低粘度塗料と呼ぶ）と、該塗料に対して１０ｍＰａ・ｓ以上、好ましくは１００ｍＰａ・ｓ以上高い粘度である塗料（以下、高粘度塗料と呼ぶ）である。尚、本発明方法においては、高粘度塗料が複数であってもよく、この場合、高粘度塗料同士の粘度の差については特に制限はない。ポンプの動力等の点から、具体的な低粘度塗料の粘度としては、例えば５〜１００ｍＰａ・ｓ、好ましくは２０〜８０ｍＰａ・ｓの範囲内であり、他方、高粘度塗料の粘度としては、１０５〜１００００ｍＰａ・ｓ、好ましくは１２０〜５０００ｍＰａ・ｓの範囲内の塗料を挙げることができる。
【００１３】
本明細書において、粘度は試料を２０℃に調整し、Ｂ型粘度計にて６０回転で測定した値とする。これら塗料は実質的に同一塗色の塗料を用いることが望ましく、溶剤系でも水系であってもよい。該低粘度塗料及び高粘度塗料は、塗料メーカーにおいて用意することができ、コンテナもしくはドラムで塗装ラインに搬入されることが好適である。これにより塗装ラインサイドにおいてこれら塗料を粘調する工程が省略され、さらなる工数削減が可能となる。
【００１４】
また、被塗物に設けられる塗膜の膜厚を均一にするためには、上記低粘度塗料と高粘度塗料の塗料の固形分が実質的に同一であることが望ましいが、各々異なっていてもよい。この場合、低粘度塗料及び高粘度塗料の各固形分を、各塗料の配合比率を計算する演算装置にあらかじめ入力しておくことで、混合塗料の固形分が算出され、供給される塗料の量を固形分に応じて制御することで必要膜厚を確保することができる。
【００１５】
本発明方法では、上記低粘度塗料と高粘度塗料を、被塗物表面温度、さらには該被塗物表面温度に加えて塗装雰囲気条件の変化にも対応して塗装に適した配合比率で、混合しながら連続的に供給する。これら塗料は、それぞれ定量ポンプで混合用ラインミキサーに送られて十分に混合され、そのまま塗装機に供給されることができ、あるいは一旦、中継タンクに充填させることもでき、塗装時の被塗物表面温度、さらには塗装雰囲気条件に最適な粘度の塗料を必要なだけ調合することができる。配合比率及び充填量はそれぞれの定量ポンプの設定流量と吐出時間で容易に決定することが可能である。
【００１６】
被塗物表面温度及び塗装雰囲気条件は、それぞれ被塗物近傍及びブース内に設けた温度センサーと湿度センサーを兼ねた温湿度センサー、風速センサーで検出され、その変化に応じて、予め決定された被塗物表面温度及び塗装雰囲気条件に対する最適な塗料粘度のデータベースから、その被塗物表面温度及び塗装雰囲気条件に最適な粘度の塗料を調合することが可能となる。なお、被塗物表面温度は非接触かつ定点での測定が好ましく、例えば赤外線を利用した温度計のような非接触用温度センサーの使用が望ましい。
【００１７】
また、本発明では、中継タンクを用いる場合、これにレベルセンサーを設けることで、混合塗料の残量を常時検出することが可能であり、配合比率の異なる新たな混合塗料を追加する場合も中継タンクに残っている混合塗料の内訳から逆算することで、被塗物表面温度及び塗装雰囲気条件に最適な粘度の塗料となるようにこれら塗料の配合比率及び追加量を決定することができる。被塗物表面温度を検出する温度センサーからの電気信号と、塗装雰囲気温度及び塗装雰囲気湿度を検出する温湿度センサーからの電気信号、塗装雰囲気風速を検出する風速センサーからの電気信号、さらには中継タンクに内蔵されたレベルセンサーからの電気信号を入力データとし、データベースを参照して配合比率及び追加量を計算する演算装置と、演算結果を出力データとして各塗料の定量供給ポンプのコントローラーに伝達するインターフェースを組み合わせることで年間を通じて安定した塗装仕上りが得られる塗料供給システムとすることができる。
【００１８】
また、本発明方法においては、上記塗料供給システムを複数設けることもできる。これにより上記低粘度塗料及び高粘度塗料からなる混合塗料を、塗装雰囲気条件の異なる複数の塗装ブース内の被塗物に供給することも可能である。この際、塗料吐出量及び吐出時間を制御するコントローラーは１台であってもよいが、各塗装ブースに対して設けてもよい。
【実施例】
【００１９】
実施例を記載する。
図１、図２、図３は、本発明の一実施例を説明する概略構成図である。
【００２０】
図１において、塗料タンク１に充填された高粘度塗料は、定量ポンプ２ａにより三方バルブ３ａを介して循環しており、塗料タンク６ａに充填された低粘度塗料は、定量ポンプ７ａにより三方バルブ８ａを介して循環している。これら塗料は、三方バルブ３ａ、８ａによる流路変更でマニホールド１０ａに送られ、ミキサー１１ａで混合され、塗装機１５ａに供給される。三方バルブ３ａ、８ａの流路変更及び定量ポンプ２ａ、７ａの流量は、コントローラー５ａによって制御されている。定量ポンプ２ａ、７ａには、インバータ（図示せず）で回転数を制御可能なＡＣサーボモーターで駆動するギアポンプを使用している。
【００２１】
ここで、塗料として高粘度塗料（固形分３０％・粘度  ４０００ｍＰａ・ｓ、アクリル系樹脂水系塗料）と低粘度塗料（固形分２０％・粘度  ３０ｍＰａ・ｓ、アクリル系樹脂水系塗料）を用意した。塗装を行う前にあらかじめ各塗料の固形分をコントローラー５の演算装置に入力しておく。
【００２２】
これら塗料は、塗料メーカーよりコンテナもしくはドラムにて搬入可能であり、該コンテナもしくはドラムをそのまま塗料タンク1及び塗料タンク６として使用可能である。これらの被塗物表面温度、さらには塗装雰囲気温度、塗装雰囲気湿度、塗装雰囲気風速に対する最適配合比率の一例を表１に示す。表中の配合比率は重量である。
【００２３】
【表１】
2004337838.tif 000002
【００２４】
図１に示すように、被塗物１６ａ近傍に設けられた非接触形の被塗物表面温度センサー１７ａからの信号と、塗装ブース１８ａ内に設けられた塗装雰囲気温湿度センサー９ａからの信号がコントローラー５ａに送られ、表１に例示したような被塗物表面温度、さらには塗装雰囲気温度、塗装雰囲気湿度及び塗装雰囲気風速に最適な配合比率が算出され、定量ポンプ２ａ、７ａにはその流量の指示が送られる。例えば塗装雰囲気温度及び被塗物表面温度、塗装雰囲気風速が一定の場合には塗装雰囲気湿度の変動に応じた配合比率に制御される。その指示によって最適比率で供給された各塗料は、ミキサー１１ａにおいて混合され、得られた混合塗料が塗装機１５ａに供給されるものである。ここで、該混合塗料の固形分は各塗料固形分及び配合比率から算出されるものであり、該混合塗料の固形分に基づいて必要膜厚に応じた最適な塗料吐出量が算出され、塗装機１５ａに供給される塗料の量が制御される。
【００２５】
次いで図２は、本発明の別の一実施例を説明する概略構成図である。図２において、塗料タンク１に充填された高粘度塗料は、定量ポンプ２ａにより三方バルブ３ａを介して循環しており、塗料タンク６に充填された低粘度塗料は、定量ポンプ７ａにより三方バルブ８ａを介して循環している。これら塗料は、三方バルブ３ａ、８ａによる流路変更でマニホールド１０ａに送られ、ミキサー１１ａで混合され、一旦、中継タンク１２ａに充填される。三方バルブ３ａ、８ａの流路変更及び定量ポンプ２ａ、７ａの流量は、コントローラー５ａによって制御されている。定量ポンプ２ａ、７ａには、インバータ（図示せず）で回転数を制御可能なＡＣサーボモーターで駆動するギアポンプを使用している。
【００２６】
図２に示すように、塗装ブース１８ａ内に設けられた塗装雰囲気温湿度センサー９ａからの信号と、アネモメータ１９ａ（風速計）と、被塗物１６ａ近傍に設けられた非接触形の被塗物表面温度センサー１７ａからの信号と、中継タンク１２ａに設置したレベルセンサー１３ａからの信号がコントローラー５ａに送られ、中継タンク１２ａ中に残る高粘度塗料と低粘度塗料の内訳をもとに、表１に例示したような被塗物表面温度、塗装雰囲気温度、塗装雰囲気湿度及び塗装雰囲気風速に最適な配合比率とこれら塗料の追加充填量が算出され、定量ポンプ２ａ、７ａにはその流量の指示が、三方バルブ３ａ、８ａには追加充填量から逆算した吐出時間により流路を切り替えるパイロットエアーのＯＮ／ＯＦＦ時間の指示が送られる。流路変更によりマニホールド１０ａに送られた高粘度塗料と低粘度塗料はミキサー１１ａで混合され中継タンク１２ａに再充填される。中継タンク１２ａにおいて最適比率で混合された混合塗料は塗装用定量ポンプ１４ａにより塗装機１５ａに供給される。ここで、該混合塗料の固形分は各塗料固形分及び配合比率から算出されるものであり、該混合塗料の固形分に基づいて必要膜厚に応じた最適な吐出量が算出され、塗装機１５ａに供給される塗料の量が制御される。
【００２７】
次いで図３は、本発明の別の一実施例を説明する概略構成図である。図３は、塗装ブースが複数の場合に対応したものである。塗料タンク１に充填された高粘度塗料は、定量ポンプ２ａ及び２ｂにより三方バルブ３ａ及び３ｂを夫々介して塗料タンク１を中心にして８の字状に循環している。他方塗料タンク６に充填された低粘度塗料は、定量ポンプ７ａ及び７ｂにより三方バルブ８ａ及び８ｂを夫々介して塗料タンク６を中心にして８の字状に循環している。
【００２８】
図３に示すように、塗装ブース１８ａ及び１８ｂ内にそれぞれ設けられた塗装雰囲気温湿度センサー９ａ、９ｂ、アネモメータ１９ａ及び１９ｂからの信号と、非接触形の被塗物表面温度センサー１７ａ及び１７ｂからの信号と、中継タンク１２ａ及び１２ｂに設置されたレベルセンサー１３ａ及び１３ｂからの信号がそれぞれコントローラー５ａ及び５bに送られ、中継タンク１２ａ及び１２ｂ中に残る高粘度塗料と低粘度塗料の内訳をもとに、最適な配合比率とこれら塗料の追加充填量がそれぞれ算出され、定量ポンプ２ａ、７ａ、２ｂ及び７ｂにはその流量の指示が、三方バルブ３ａ、８ａ、３ｂ及び８ｂには追加充填量から逆算した吐出時間により流路を切り替えるパイロットエアーのＯＮ／ＯＦＦ時間の指示がそれぞれ送られる仕組みになっている。
【産業上の利用可能性】
【００２９】
特に工業用塗装ラインの塗装ブースにおいて適用可能である。
【図面の簡単な説明】
【００３０】
【図１】本発明の一実施例を説明する塗料供給の概略構成図である。
【図２】本発明の別の一実施例を説明する塗料供給の概略構成図である。
【図３】本発明の別の一実施例を説明する塗料供給の概略構成図である。
【符号の説明】
【００３１】
１                       高粘度塗料タンク
２ａ、２ｂ、７ａ、７ｂ   定量ポンプ    
３ａ、３ｂ、８ａ、８ｂ   三方バルブ
４ａ、４ｂ               パイロットエアー
５ａ、５ｂ               コントローラー
６                       低粘度塗料タンク
９ａ、９ｂ               塗装雰囲気温湿度センサー
１０ａ、１０ｂ             マニホールド
１１ａ、１１ｂ             ミキサー
１２ａ、１２ｂ             中継タンク 
１３ａ、１３ｂ             レベルセンサー
１４ａ、１４ｂ             塗装用定量ポンプ
１５ａ、１５ｂ             塗装機
１６ａ、１６ｂ             被塗物
１７ａ、１７ｂ             被塗物表面温度センサー
１８ａ、１８ｂ             塗装ブース
１９ａ、１９ｂ             アネモメータ
【図１】
2004337838.tif 000003
【図２】
2004337838.tif 000004
【図３】
2004337838.tif 000005